(57)【要約】      （修正有）【課題】自分の眉毛が消失した人が自分の眉毛をつけたい、又自分の眉毛を整えたい。人々が好きな時、顔に簡単に装着できる眉毛を提供する。【解決手段】フィルム又はシート状のベース２８に人毛または人工毛１７，１８，１９を植毛し、ベース２８の裏面に貼着層又は接着層４７，４８，４９の形成により人毛もしくは人工毛１７，１８，１９の根本を固定し、その貼着層又は接着層４７，４８，４９が乾燥した後に再度人毛ないし人工毛１７，１８，１９を植毛し、そのベースの裏面に貼着層又は接着層４７，４８，４９を重ねて成型し、必要に応じてこの工程を繰り返すことで人間の眉毛の生え方に近い、より自然に近い眉毛を形成することができる。【選択図】図８
2006214066.tif 000002
【特許請求の範囲】
【請求項１】
フィルム又はシート状のベースに人毛又は人工毛を多重層に植毛したことを特徴とするつけ眉毛。
【請求項２】
フィルム又はシート状のベースに接着剤層と植毛層が多重層になる事を特徴とするつけ眉毛。
【請求項３】
フィルム又はシート状のベースに人毛又は人工毛を上下左右にランダムな方向に植毛した事を特徴とする請求項１又は請求項２記載のつけ眉毛。
【請求項４】
フィルム又はシート状のベースに人毛又は人工毛を植毛し、ベースの裏面に粘着剤もしくは接着剤の層を形成してなる事を特徴とする請求項１又は請求項２又は請求項３記載のつけ眉毛。
【請求項５】
フィルム又はシート状のベースに人毛又は人工毛を植毛し、ベースの裏面に粘着層又は接着層の形成により人毛もしくは人工毛の根本を固定し、その粘着層又は接着層が乾燥した後に再度人毛ないし人工毛を植毛し、そのベースの裏面に粘着層又は接着層を重ねて形成し、必要に応じてこの工程を繰り返すことを特徴とするつけ眉毛の製造方法。
【発明の詳細な説明】
【技術分野】
【０００１】  必要に応じて顔に装着できるつけ眉毛に関する。
【背景技術】
【０００２】  今まで医療用として又治療用としてつけ眉毛は無かった。又美容上に於いてもつけ眉毛は無かった。然し、病気又はケガ等により眉毛が薄くなったり、無くなってしまったりする人が居る。また、美容的に見て自分の眉毛の形が気に入らない、もっと美しく見えるようにしたい、なりたいという要望も強い。
従来は眉毛の形を整えるには、毛抜きで自分で抜いて整えた。又、ハサミ等で余分な眉毛の毛を切ってその形を整えていた。
年齢と共に眉毛に白毛が混じったり、又眉毛が少なくなり薄くなってしまったときは、眉墨とか眉ペンシルで書いて形を整えていたが、上下左右がうまく書けず、やり直しをし、又アンバランスになったりと問題があった。
また、眉墨で書いても汗等で色が流れたり、それがとれてしまったりという問題があった。
本物の眉毛とは印象が異なり、不満足な結果になる場合が多かった。
【発明の開示】
【発明が解決しようとする課題】
【０００３】  手軽に眉毛を整える為の用具が望まれていた。中高年になると眉毛に白毛が混じる。眉毛の量が少なくなり、眉毛が薄くなり殆ど無くなってきて、顔がぼやけて見えるという問題がある。
もっと美しくなりたい、綺麗に見えるようになりたい、という問題を解決するのが本考案の課題である。
また、病気、怪我等で眉毛が消失したり、薬の影響や放射線などの治療に依り眉毛が無くなるのは決して少なくは無い。
軽い運動をした場合、あたたかい食事、飲み物をとったとき、そして夏の季節等には汗が出る。その時、眉毛が薄かったり無かったりする人は、汗がそのまま眉毛に止まらず直接目に入り込み、目がしみて、目が著しく痛い、という問題があった。
その問題を解決するのが本考案の課題である。
【課題を解決するための手段】
【０００４】  上記目的を達成する為にこの発明は、次のような構成としている。
請求項１、請求項２、請求項３、請求項４、請求項５記載のつけ眉毛は、人毛及び人工毛（化学繊維）を植毛する為の皮膚に近い素材のフィルム又はシート状のものをベースにしたものを備えている。
その人工毛は、鐘淵化学のカネカロン（商標登録）や電化工業のトヨカロン（商標登録）の繊維のように、人間のタンパク質やコラーゲン等を含浸させて、人間の毛髪に限りなく近づけた人工毛などが選択される。
また、皮膚に近いフィルム又はシートというものは、皮膚に近い色や透明色であり又感触も皮膚に近いものである。例えば、ポリウレタン系素材、ポリエチレン系や塩化ビニール系等のやわらかい素材が好適である。
そして、植毛方法としては、フィルム又はシート状のベース２，２１，２２に植毛し、その裏面に接着剤を薄く塗布し乾燥させ、乾燥後、再度植毛する。その後、その裏面に薄い接着剤を塗布し再再度植毛する。それを２回から１０回程重ねて仕上げるものである。その様に多重層にする事により、例えば１ｃｍ四方の中に２０本位の植毛しか出来ないときに植毛と接着を多重にする事により、１００本から２００本程の密度で植毛することが出来る。それにより、人間の眉毛のように少ない面積のところに毛が緻密になり、また毛の植え方の方向を上下左右の方向へ適当にランダムに植えこむ事により、毛の方向を眉毛の様に上下左右ランダムに仕上げることが出来る。
そして、薄い接着剤の仮止めは植えた毛をゆるませない又抜けない様にする事が出来る。また、人の眉毛は顔の中心に近い所の毛の生え方、耳側の方の毛の生え方と毛の方向が全て異なっている。
【発明の効果】
【０００５】  その様に、人の眉毛と同じように再現する方法として接着剤使用の多重層の形成により可能にした。毛を植える時に眉毛の特徴に合わせて植毛し、接着剤で仮止めをする。その繰り返しで、より人の眉毛の形状に近い形状を形成する事が出来る。
それにより、眉毛の毛の方向も人間の眉毛のくせに合わせ、人間の眉毛の生え方に近づけることが出来、より自然な眉毛を形成する事が出来る。また、本発明の方法によれば高価な装置は必要とせず操作も簡単である。
【発明を実施するための最良の形態】
【０００６】  図に示すように、フィルムシートのベース２，２１，２２は、自分でカットすることも出来るし、又切込みを入れておき、剥がしたり、切り取ったりすることが出来る。
また、その形状は人間の眉の形状にしても良い。
その眉毛の形１，１１，１２は、細い、太い、長い、短い等の様々な形状の中より選ぶことが出来、又自分でハサミ等でその形や毛の長さ等を微調整することが出来ることを特徴とするものである。
眉毛の形に切り取ったフィルムに植毛のみ（図３）の場合は、接着剤等を適量付けて装着する。
尚、接着剤として使用に好適なものとして、毛髪用接着剤、かつら固定用接着剤としてよく用いられているところのシリコン系、エポキシ系、ポリウレタン系、ラテックス系等の接着剤また、シノア系瞬間接着剤等がある。
また、シリコンゴム系の接着剤も肌にやさしく、透明性にもすぐれているので適している。【０００７】  図４、図５、図６、図７、図８に示すように、毛１４，１５，１６はＶ型植毛である事が特徴であるが、図５は左方向へのＶ型植毛である。その方向は上下左右、適時に選択される方向に植毛する事が出来る事を特徴としている。それにより、より眉毛の形を再現する事ができる。
また、植毛方法はＶ型植毛に限るものではなく任意である。又植毛された裏面の固定方法も接着剤による方法に限るものではなく、任意であり、加熱方法等により固定できる事を特徴としている。【０００８】  また、図８に於いては、ベース２８に毛１７をＶ型植毛を接着剤（接着層）４７にて固定せしめている。又ベース２８に毛１８をＶ型植毛し、接着層４８にて固定せしめている。又、ベース２８に毛１９をＶ型植毛し接着層４９にて固定せしめている例である
その様に、フィルム又はシート状のベース２８に１回目、毛１７を植毛し、その裏面に接着剤を薄く塗布し、接着層４７を形成させる。乾燥後、次に毛１８を植毛しその裏面に接着剤を薄く塗布し、接着層４８を形成させる。乾燥後さらに、毛１９を植毛しその裏面に接着剤を薄く塗布し、接着層４９を形成させて毛の根本を固定せしめ多重層に形成している事を特徴としている。
そして、図８に於いて最下層３０にはフィルム又はシート状のもので固定しても良いし、又ハクリ紙を装着しても良い。【０００９】  本発明のつけ眉毛の装着方法はセパレーター３０を剥がして、接着層４９の全面を自分の眉毛の部分に直接、接着剤若しくは粘着剤にて貼付して装着するものである。又、図８に於ける３０がフィルム又はシート状の場合は、その上に接着剤若しくは粘着剤を使用し、自分の眉毛の部分に装着する。【００１０】  図１は、毛１を眉毛状にベース２に植毛する。
図２は毛１１をベース２１に矩形状抱えこんだもの。
図３は眉状にしたベース２２に毛１２を全面に植毛する。
図４は毛をＶ型植毛を示す縦断面図である。
図５は毛を左方向へ意図的に植毛した事を示す縦断面図である。
図６は毛を右方向へ意図的に植毛した事を示す縦断面図である。
図７は接着剤及び粘着剤の多重層を形成した事を示す縦断面図である。
図８はセパレーター（ハクリ紙）をつけた完成品である。
【図面の簡単な説明】
【００１１】
【図１】本考案つけ眉毛の一例を示す平面図である。
【図２】本考案つけ眉毛の他の例を示す平面図である。
【図３】本考案つけ眉毛の更に他の例を示す平面図である。
【図４】本考案の人毛もしくは人工毛の植毛方法の一例を示す縦断断面図である。
【図５】本考案の人毛もしくは人工毛の植毛方法の他の例を示す縦断面図である。
【図６】本考案の人毛もしくは人工毛の植毛方法の更に他の例を示す縦断面図である。
【図７】本考案のつけ眉毛の多重層の断面形状の一例を示す縦断面図である。
【図８】本考案のつけ眉毛の多重層の断面形状の他の例を示す縦断面図である。
【符号の説明】
【０００１２】  １  人毛及び人工毛
２  フィルム又はシート状のベース
１１  人毛もしくは人工毛
１２  人毛もしくは人工毛
２１  フィルム又はシート状のベース
２２  眉毛状にしたフィルムもしくはシート状のベース
１４  人毛または人工毛
１５  人毛または人工毛
１６  人毛または人工毛
１７  人毛または人工毛
１８  人毛または人工毛
１９  人毛または人工毛
２０  人毛または人工毛
２３  フィルム又はシート状のベース
２４  フィルム又はシート状のベース
２５  フィルム又はシート状のベース
２６  フィルム又はシート状のベース
２７  フィルム又はシート状のベース
２８  フィルム又はシート状のベース
３０  フィルム又はシート状のベースもしくはセパレーター（ハクリ紙）
４１  接着剤または粘着剤層
４２  接着剤または粘着剤層
４３  接着剤または粘着剤層
４４  接着剤または粘着剤層
４５  接着剤または粘着剤層
４７  接着剤または粘着剤層
４８  接着剤または粘着剤層
４９  接着剤または粘着剤層
【図１】
2006214066.tif 000003
【図２】
2006214066.tif 000004
【図３】
2006214066.tif 000005
【図４】
2006214066.tif 000006
【図５】
2006214066.tif 000007
【図６】
2006214066.tif 000008
【図７】
2006214066.tif 000009
【図８】
2006214066.tif 000010
【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
フイルム状又はシート状のベースに人毛又は人工毛を植毛し、ベースの裏面に粘着層又は接着層の形成により人毛もしくは人工毛の根本を固定し、その粘着層又は接着層が乾燥した後、既に植毛されたフイルム状又はシート状のベースに再度人毛又は人工毛を植毛し、そのベースの裏面に粘着層又は接着層を重ねて形成し、この工程を繰り返すことにより植毛層を多重層に形成することを、特徴とするつけ眉毛の製造方法。
【請求項２】
フイルム又はシート状のベースに人毛又は人工毛を、ベース表面側に於いて、ランダムな方向に植毛することを特徴とする、請求項１記載のつけ眉毛の製造方法。
【請求項３】
請求項１又は２記載の方法により製造されたことを特徴とする、つけ眉毛。